(57)【要約】【課題】筆記機能及び接触式入力機能を兼備するタッチペンを提供すること。【解決手段】本発明の両用タッチペンは、タッチ用筆先部と、一端に磁性の連接体が設けられたスリーブと、把持部と、中空の固定部と、前記固定部の内部に装着されるペン芯部と、を備える。前記把持部の対向する両端には、第一磁石及び第二磁石が設けられ、前記ペン芯部は前記固定部と共に、前記把持部の前記第一磁石が設けられた一端に連接され、前記タッチ用筆先部は、前記把持部の第二磁石が設けられた他端に固定され、前記スリーブは、前記タッチ用筆先部或いは前記固定部を取り囲むように設置された後、前記連接体は前記第二磁石或いは前記第一磁石と磁気吸着する。【選択図】図１
2014026650.tif 000002
【特許請求の範囲】
【請求項１】
タッチ用筆先部を備える両用タッチペンであって、一端に磁性の連接体が設けられたスリーブと、把持部と、中空の固定部と、前記固定部の内部に装着されるペン芯部と、を備え、前記把持部の対向する両端には、第一磁石及び第二磁石が設けられ、前記ペン芯部は前記固定部と共に、前記把持部の前記第一磁石が設けられた一端に連接され、前記タッチ用筆先部は、前記把持部の第二磁石が設けられた他端に固定され、
前記スリーブが前記タッチ用筆先部或いは前記固定部を取り囲むように設置された後、前記連接体は、前記第二磁石或いは前記第一磁石に磁気吸着することを特徴とする両用タッチペン。
【請求項２】
前記把持部は、第一端及び前記第一端の反対側に位置する第二端を備え、前記第一端には固定孔が設けられ、前記固定部は連接部を備え、前記連接部は前記把持部の固定孔内に螺着される或いは係合連接されることを特徴とする請求項１に記載の両用タッチペン。
【請求項３】
前記固定孔の周縁部には第一固定溝が設けられ、前記把持部の第二端には第二固定溝が設けられ、前記第一磁石は前記第一固定溝内に装着され、前記第二磁石は前記第二固定溝内に装着されることを特徴とする請求項２に記載の両用タッチペン。
【請求項４】
前記固定部の一端にはキャップがさらに設けられ、前記ペン芯部の前記把持部から離れる一端には筆記用筆先部が設けられ、前記筆記用筆先部は前記キャップから露出することを特徴とする請求項２に記載の両用タッチペン。
【請求項５】
前記スリーブは収容空洞部及び開口端をさらに備え、前記連接体は前記開口端の周縁部に固定されることを特徴とする請求項３に記載の両用タッチペン。
【請求項６】
前記把持部は前記タッチ用筆先部と一体に成形され、前記把持部の外面は、滑り止め機能を有する粗末面であることを特徴とする請求項３に記載の両用タッチペン。
【発明の詳細な説明】
【技術分野】
【０００１】
本発明は、携帯式電子装置に用いられるタッチペンに関するものである。
【背景技術】
【０００２】
既存のタッチ式電子装置に用いられるタッチペンは、単純な接触式入力機能のみを有し、紙などに書くことはできない。従って、外出先で電話番号及びアドレスなどの情報を記録したい場合、筆記用のペンをさらに携帯する必要がある。故に、携帯する物品の数も増えるため、使用者の負担も増える。
【発明の概要】
【発明が解決しようとする課題】
【０００３】
そこで、本発明は以上の問題点に鑑みてなされたものであり、筆記機能及び接触式入力機能を兼備するタッチペンを提供することを目的とする。
【課題を解決するための手段】
【０００４】
上記の課題を解決するために、本発明に係る両用タッチペンは、タッチ用筆先部と、一端に磁性の連接体が設けられたスリーブと、把持部と、中空の固定部と、前記固定部の内部に装着されるペン芯部と、を備える。前記把持部の対向する両端には、第一磁石及び第二磁石が設けられ、前記ペン芯部は前記固定部と共に、前記把持部の前記第一磁石が設けられた一端に連接され、前記タッチ用筆先部は前記把持部の第二磁石が設けられた他端に固定され、前記スリーブは、前記タッチ用筆先部或いは前記固定部を取り囲むように設置された後、前記連接体は前記第二磁石或いは前記第一磁石と磁気吸着する。
【発明の効果】
【０００５】
従来のタッチペンと異なり、本発明に係る両用タッチペンの把持部の両端には、タッチ用筆先部を備える第一筆軸部及び筆記用筆先部を備える第二筆軸部がそれぞれ装着されている。スリーブは、その開口端に設けられた連接体を介して、把持部の対向する両端に固定された第一磁石及び第二磁石にそれぞれ固定される。これにより、第一筆軸部或いは第二筆軸部の向きを変えて、把持部の両端の第一磁石及び第二磁石をスリーブの連接体に切り替えて吸着固定させることにより、タッチペンの筆記機能及び接触式入力機能を容易に切り替えて使用することができる。
【図面の簡単な説明】
【０００６】
【図１】本発明の両用タッチペンの第一筆軸部と第二筆軸部との組合わせ体をスリーブから抜き出した状態を示す図である。
【図２】図１に示した両用タッチペンの筆軸部の分解図である。
【図３】本発明の両用タッチペンの１つの使用状態を示す図である。
【図４】本発明の両用タッチペンのもう１つの使用状態を示す図である。
【発明を実施するための形態】
【０００７】
図１に示すように、本発明の実施形態に係る両用タッチペン１００は、中空のスリーブ１０と、第一筆軸部２０と、第二筆軸部３０と、第一筆軸部２０及び第二筆軸部３０を一体に連結する把持部４０と、第一磁石４１と、第二磁石４２と、を備える。
【０００８】
スリーブ１０は円筒状の棒体であり、且つ収容空洞部１１及び収容空洞部１１の一端に位置する開口端１２を備える。収容空洞部１１は、スリーブ１０の長手方向に沿って設けられている。開口端１２の周縁には、連接体１３がさらに設けられている。連接体１３は、環状の磁石である。
【０００９】
図２に示すように、本実施形態において、第一筆軸部２０はタッチペンであり、電子装置のタッチパネルに接触することで入力機能を実現する。第一筆軸部２０は把持部４０の一端に固定され、且つ第一固定部２１及び第一固定部２１の一端から延伸するタッチ用筆先部２２を備える。
【００１０】
第二筆軸部３０は紙等に書くために用いられ、且つ第二固定部３１及びペン芯部３２を備える。第二固定部３１は中空体であり、且つ連接部３１１及びこの連接部３１１の反対側に位置するキャップ３１２を備える。連接部３１１及びキャップ３１２は、第二固定部３１と一体に成形される。連接部３１１の外周面にはねじ山が設けられているので、把持部４０の他端内に螺合することができる。ペン芯部３２は、ボールペンのインク或いは鉛筆等の芯を入れることができる芯部である。ペン芯部３２における第一端４１１から離れる末端には、筆記用筆先部３２０が設けられている。
【００１１】
把持部４０は中空の円柱体であり、且つ互いに反対側に位置する第一端４１１及び第二端４１２を備える。ユーザーは把持部４０を握って、把持部４０に連接された第一筆軸部２０又は第二筆軸部３０をスリーブ１０内に装入するか又はスリーブ１０から抜き出す。滑り止め効果を得るために、把持部４０の外面は粗くなっている。第一端４１１には固定孔４１３が設けられている。第一端４１１における固定孔４１３の周縁部には第一固定溝４１４が設けられている。第一筆軸部２０の第一固定部２１は把持部４０の第二端４１２に固定されるが、把持部４０と一体に成形しても良い。また、第二端４１２の周縁には、第二固定溝４１５が設けられている。第一磁石４１及び第二磁石４２は環状であり、且つ第一固定溝４１４及び第二固定溝４１５内にそれぞれ固定される。
【００１２】
タッチペン１００の第一筆軸部２０と第二筆軸部３０とを一体に組み立てる場合、先ず、ペン芯部３２を第二固定部３１に貫通させる。ペン芯部３２が第二固定部３１内に装着された時、筆記用筆先部３２０はキャップ３１２から露出する。次に、第二筆軸部３０の連接部３１１を把持部４０の第一端４１１の固定孔４１３内に螺着固定させる。第一筆軸部２０と第二筆軸部３０とが一体に組み立てられた後、タッチ用筆先部２２及び筆記用筆先部３２０は、把持部４０の相反する両端に位置する（図１を参照）。
図１及び図３に示すように、タッチペン１００の接触式入力機能を使用する場合、第二筆軸部３０をスリーブ１０の収容空洞部１１内に挿入して、スリーブ１０の開口端１２に設けられた連接体１３と、把持部４０の第一端４１１の第一磁石４１との磁気吸着力を介して、把持部４０をスリーブ１０に固定させる。これにより、ユーザーはタッチ用筆先部２２を介して電子装置のタッチパネルに入力することができる。
【００１３】
また、図１及び図４に示すように、タッチペン１００の筆記機能を使用する場合、第二筆軸部３０をスリーブ１０から抜き出した後、第一筆軸部２０のタッチ用筆先部２２をスリーブ１０の収容空洞部１１内に収納し、スリーブ１０の開口端１２に固定された連接体１３と把持部４０の第二端４１２の第二磁石４２との磁気吸着力を介して、把持部４０をスリーブ１０に固定させる。これにより、ユーザーは筆記用筆先部３２０を介して紙等に書くことができる。
【００１４】
変形例として、第一筆軸部２０の第一固定部２１及び第二筆軸部３０の第二固定部３１を、磁気吸着力を使用せず、スリーブ１０の収容空洞部１１内にきつく嵌合しても良い。
【００１５】
また、第一筆軸部２０の第一固定部２１及び第二筆軸部３０の第二固定部３１の外面にねじ山をそれぞれ設けて、第一筆軸部２０或いは第二筆軸部３０をスリーブ１０内に螺合しても良い。  
【００１６】
以上、本発明の好適な実施形態について詳細に説明したが、本発明は前記実施形態に限定されるものではなく、本発明の範囲内で種々の変形又は修正が可能であり、該変形又は修正も本発明の特許請求の範囲内に含まれるものであることは言うまでもない。
【符号の説明】
【００１７】
１０      スリーブ
１１      収容空洞部
１２      開口端
１３      連接体
２０      第一筆軸部
２１      第一固定部
２２      タッチ用筆先部
３０      第二筆軸部
３１      第二固定部
３２      ペン芯部
４０      把持部
４１      第一磁石
４２      第二磁石
１００    両用タッチペン
３１１    連接部
３１２    キャップ
３２０    筆記用筆先部
４１１    第一端
４１２    第二端
４１３    固定孔
４１４    第一固定溝
４１５    第二固定溝
【図１】
2014026650.tif 000003
【図２】
2014026650.tif 000004
【図３】
2014026650.tif 000005
【図４】
2014026650.tif 000006